【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
フィルターカートリッジであって、
ａ）中心軸と内部空間を画成するハウジングと、ここで前記ハウジングが前記内部空間に流体を受け入れる入口部と、流体を前記内部空間から排出する第一出口部と、流体を前記内部空間から排出する第二出口部と、を有し、
ｂ）通過する流体を調整するために前記ハウジングの前記内部空間内に配設した第一段フィルターと、ここで前記第一段フィルターが第一流路を経由して前記入口部及び前記第一出口部と流体流通し、
ｃ）通過する流体を調整するために前記ハウジングの前記内部空間内に配設した第二段フィルターと、ここで前記第二段フィルターが前記第一流路と別個の第二流路を経由して前記入口部及び前記第二出口部と流体流通し、
を備えるフィルターカートリッジ。
【請求項２】
前記ハウジングの前記内部空間を通る流体の流れを選択的に導く手段を備える、請求項１に記載のフィルターカートリッジ。
【請求項３】
前記ハウジングの前記内部空間を通る前記流体の前記流れを選択的に導く前記手段が、前記第一段フィルターを通り抜けて前記第一出口部を通り前記ハウジングから流出する前記第一流路へ、流体を導くように構成される、請求項２に記載のフィルターカートリッジ。
【請求項４】
前記ハウジングの前記内部空間を通る前記流体の前記流れを選択的に導く前記手段が、前記第二段フィルターを通り抜けて前記第二出口部を通り前記ハウジングから流出する前記第二流路へ、流体を導くように構成される、請求項２に記載のフィルターカートリッジ。
【請求項５】
前記ハウジングの前記内部空間を通る前記流体の前記流れを選択的に導く前記手段が、前記第一流路及び第二流路を同時に流れ、前記第一出口部及び第二出口部から同時に排出するように流体を導くように構成される、請求項２に記載のフィルターカートリッジ。
【請求項６】
前記第一段フィルター及び第二段フィルターを、前記ハウジングの前記内部空間内に相互に関して共通の軸上に配置する、請求項１に記載のフィルターカートリッジ。
【請求項７】
前記第一段フィルターが、中空コアを有し、前記第二段フィルターが、前記第一段フィルターの前記中空コア内に配設される、請求項６に記載のフィルターカートリッジ。
【請求項８】
前記第一段フィルター及び前記第二段フィルターが、前記流体を調整する少なくとも一つのろ材を含む、請求項１に記載のフィルターカートリッジ。
【請求項９】
前記少なくとも一つのろ材が、樹脂で結合されたセルロースで画成される、請求項８に記載のフィルターカートリッジ。
【請求項１０】
前記少なくとも一つのろ材が、炭素ブロックろ材又は中空糸ろ材で画成される、請求項８に記載のフィルターカートリッジ。
【請求項１１】
前記第二流路が、前記第一段フィルター及び第二段フィルター双方を横切る、請求項１に記載のフィルターカートリッジ。
【請求項１２】
前記第一流路が、前記ハウジングの前記内部空間内において前記第一段フィルターを通り半径方向内向きに方向付けられる、請求項１に記載のフィルターカートリッジ。
【請求項１３】
前記第二流路が、前記ハウジングの前記内部空間内において前記第二段フィルターを通り半径方向内向きに方向付けられる、請求項１に記載のフィルターカートリッジ。
【請求項１４】
前記第一流路及び前記第二流路を通る前記流体の前記流れを導く手段を備えた、請求項１に記載するフィルターカートリッジ。
【請求項１５】
前記第一流路及び前記第二流路を通る流体の流れを導く前記手段が、前記ハウジングの前記内部空間内に配設した構造体により画成され、前記構造体が、流体の流れを導けるように大きさを決められて配置された表面を有する、請求項１４に記載のフィルターカートリッジ。
【請求項１６】
前記第一流路及び前記第二流路を通る流体の流れを導く前記手段が、前記ハウジングと一体である、請求項１４に記載のフィルターカートリッジ。
【請求項１７】
フィルター装置であって、
ａ）ヘッドと、ここで前記ヘッドが、入口流ポートと、出口流ポートと、前記ヘッドを流体源と流体流通して確保する手段と、前記ヘッドにフィルターカートリッジを確実に取り付ける手段とを有し、
ｂ）フィルターカートリッジと、ここで前記フィルターカートリッジが、
ｉ）中心軸及び内部空間を画成するハウジングと、ここで前記ハウジングが、前記  内部空間に流体を受け入れる入口部と、前記内部空間から流体を排出する第一出口部と  、前記内部空間から流体を排出する第二出口部とを有し、
ｉｉ）通過する流体を調整するために前記ハウジングの前記内部空間内に配設した  第一段フィルターと、ここで前記第一段フィルターが、第一流路を経由して前記入口部  及び前記第一出口部に流体流通し、
ｉｉｉ）通過する流体を調整するために前記ハウジングの前記内部空間内に配設し  た第二段フィルターと、ここで前記第二段フィルターが、前記第一流路とは別個の第二  流路を経由して前記入口部及び前記第二出口部に流体流通し、を含み、
を備えるフィルター装置。
【請求項１８】
前記ハウジングの前記第一出口部からの排出量を選択的に制御する第一出口流バルブを備える、請求項１７に記載のフィルター装置。
【請求項１９】
前記ハウジングの前記第二出口部からの排出量を選択的に制御する第二出口流バルブを備える、請求項１７に記載のフィルター装置。
【請求項２０】
前記第一出口部から排出する流体と前記第二出口部から排出する流体とを選択的に混合する手段を備えることにより、前記混合が、選択されたろ過処理特性を有する単一の排出流体を形成する、請求項１７に記載のフィルター装置。
【請求項２１】
前記ハウジングの前記第一出口部及び第二出口部から排出する流体を混合する前記手段が、バルブを備え、前記バルブが、前記ハウジングの前記第一出口部から排出する流体を受け入れる第一入口ポートと、前記ハウジングの前記第二出口部から排出する流体を受け入れる第二入口ポートと、混合した流体を前記バルブから排出する排出ポートとを有する、請求項１７に記載のフィルター装置。
【請求項２２】
第一出口部から排出する前記流体と、前記第二出口部から排出する前記流体と、前記フィルター装置を通過していない流体とを選択的に混合する手段を備えることにより、前記混合が、選択されたろ過処理特性を有する単一の排出流体を形成する、請求項１７に記載のフィルター装置。
【請求項２３】
フィルターカートリッジであって、
ａ）前記フィルターカートリッジに中心軸及び内部空間を画成すると共に、流体を前記内部空間内に受け入れる入口ポートと前記内部空間から第一流体を排出する第一出口ポートと前記ハウジングから第二流体を排出する第二出口ポートとを有するハウジングと、
ｂ）前記第一流体を調整するために前記ハウジングの前記内部空間内に軸方向に配設した第一段フィルターと、ここで前記第一段フィルターが、中空コアを有すると共に、前記第一段フィルターを通り半径方向に方向付けられた第一流路を経由して前記第一出口部に連通し、
ｃ）前記第二流体を調整するために前記第一段フィルターの前記中空コア内に共通の軸方向に配設した第二段フィルターと、ここで前記第二段フィルターが、前記第二段フィルターを通り半径方向内側に方向付けられた第二流路を経由して前記第二出口部に連通し、
を備えるフィルターカートリッジ。
【請求項２４】
前記第一段フィルター及び前記第二段フィルターが、前記流体をろ過する少なくとも一つのろ材により構成される、請求項２３に記載のフィルターカートリッジ。
【請求項２５】
前記少なくとも一つのろ材が、珪藻土ろ材により構成される、請求項２４に記載のフィルターカートリッジ。
【請求項２６】
前記少なくとも一つのろ材が、炭素ブロックろ材又は中空糸ろ材により構成される、請求項２４に記載のフィルターカートリッジ。
【請求項２７】
前記第一流路及び前記第二流路を通る流体を導く手段を備えた、請求項２３に記載のフィルターカートリッジ。
【請求項２８】
前記第一流路及び前記第二流路を通る流体を導く前記手段が、前記ハウジングの前記内部空間内に配設した構造体を含み、前記構造体が、前記流体の流れを導くように大きさを決められ配置された表面を有する、請求項２７に記載のフィルターカートリッジ。
【請求項２９】
前記第一流路及び前記第二流路を通る流体を導く前記手段が、前記ハウジングと一体である、請求項２７に記載のフィルターカートリッジ
【手続補正２】
【補正対象書類名】明細書
【補正対象項目名】００１０
【補正方法】変更
【補正の内容】
【００１０】
更に、前記フィルターカートリッジは、前記ハウジングの前記内部空間を通る流体の流れを選択的に導く（以下、方向付けるともいう。）機構を含む。前記機構は、第一流路を通る流体の流れを選択的に方向付けるように構成し、流体は、第一段フィルターを通り抜け、前記第一出口部を通り前記ハウジングから流出する。更に、前記機構は、第二流路を通る流体の流れを選択的に方向付けるように構成し、流体は、前記第一段フィルターを通り抜け、前記第二段フィルターを通り抜け、前記第二出口部を通り前記ハウジングから流出する。あるいは、前記機構は、流体が前記第一流路及び第二流路を同時に通るように方向付けることもできる。好適な一実施形態では、前記ハウジングの前記内部空間を通る流体の流れを選択的に方向付ける前記構造は、前記フィルターカートリッジハウジングの外部に配置される。
【手続補正３】
【補正対象書類名】明細書
【補正対象項目名】００４４
【補正方法】変更
【補正の内容】
【００４４】
第一出口流バルブ４５０及び第二出口流バルブ４５５は、共同して内部空間４１４を通る流体の流れを選択的に方向付ける。具体的には、第一出口流バルブ４５０が解放位置であって第二出口流バルブ４５５が閉鎖位置であれば、流体は、第一流路２００を流れ、第一段フィルター４２０により調整され、第一出口部４１８から水道蛇口アセンブリ４５２を通って内部空間から流出する。あるいは、第一出口流バルブ４５０が閉鎖位置であって第二出口流バルブ４５５が開いていれば、流体は、第二流路３００を流れ、第一段フィルター４２０及び第二段フィルター４３０両方を通過して調整され、第二出口部４１９から飲水部４５７を通って内部空間４１４から流出する。あるいは、第一出口流バルブ４５０及び第二出口流バルブ４５５が両方とも開放位置であれば、流体は、内部空間４１４を通って第一流路２００及び第二流路３００両方を流れ、水道蛇口アセンブリ４５２及び飲水部４５７両方から排出される。